(57)【要約】      （修正有）【課題】中心にベッド板が両側横方向とも移送でき、昇降機構の安定性を高める医療用運搬車を与えることにある。【解決手段】車台、昇降支柱、支持フレーム、横移床板とコントローラを有する一種の医療用運搬車を与える。車台は昇降支柱の底部に固定され、支持フレームは昇降支柱の頂部に固定され、横移床板は支持フレームに設置される。また、歯車モジュール、従動軸と輸送ベルトも有しており、歯車モジュールと電動機の出力軸が連接されており、従動軸と歯車モジュールが噛み合っており、従動軸が横移床板の周縁に設置され、従動軸と横移床板上に輸送ベルトを巻回している。【選択図】  図１
0003129434.tif 000002
【実用新案登録請求の範囲】
【請求項１】
車台（1）、昇降支柱（2）、支持フレーム（3）、横移床板（4）及びコントローラ（6）を有する医療用運搬車であって、車台（1）が昇降支柱（2）の底部に固定され、支持フレーム（3）が昇降支柱（2）の頂部に固定され、支持フレーム(3)が昇降支柱(2)の頂部に固定され、横移床板（4）が支持フレーム(3)上に設けられ、さらに該運搬車は歯車モジュール、従動軸（19）、ベルト（16）、電動機をも有し、前記歯車モジュールは電動機の出力軸に連結し、従動軸（19）と該歯車モジュールとは噛み合うように設けられ、従動軸（19）は横移床板（4）の周縁に設けられ、従動軸（19）と横移床板（4）上に輸送ベルト（16）を巻回するように設けられた医療用運搬車。
【請求項２】
請求項1の医療用運搬車において、昇降支柱（2）とコントローラ（6）とが連動し、コントローラ（6）で昇降支柱（2）の上昇あるいは降下を制御できるように設けられたことを特徴とする医療用運搬車。
【請求項３】
請求項1の医療用運搬車において、ガードレール（5）を有し、ガードレールが支持フレーム（3）と連結しており、横移床板（4）の側面に位置し、ガードレール（5）を下げたとき横移床板（4）より低いかほぼ同じ高さとなり、これを上げたとき横移床板より高くなるように設けられたことを特徴とする医療用運搬車。
【請求項４】
請求項1の医療用運搬車において、踏み板（7）と複数個の車輪（8）を有し、車台（2）の底部に設けられた車輪（8）と踏み板（7）が連結されており、踏み板で車輪の固定と方向転換を制御できるように設けられたことを特徴とする医療用運搬車。
【考案の詳細な説明】
【技術分野】
【０００１】
本考案は医療器械の領域と運搬設備の領域に属し、特に医療と看護部門では患者の移送に用いる医療用運搬車に関する。
【考案が解決しようとする課題と従来の技術】
【０００２】
医療及び看護において、重病患者や行動の不自由な患者を移送するのは従来より重労働であった。患者の苦痛と看護者の労働強度を軽減するため、足か手で高度調整ができる機械式あるいは液圧式運搬車がすでに販売されている。患者の乗車、下車の便利を考慮して、日本の特許特開平7‐24010、中国の特許ZL02280012.3などのような、液圧で昇降機能を備える上、横方向の移送ができる運搬車もある。この横方向の移送はベッド板の片側に従動軸を設け、輸送ベルトをベッド板と従動軸に巻き、従動軸の近くにベルトを締める装置を設け、従動軸を回転させるとベルトも移動する構造となっている。従動軸が設けられるので、ベッド板の片側が非常に厚くなっており、患者が従動軸のない側しか移送することができない。しかし、運搬先のベッドが運搬前のベッドと逆方向であれば患者の頭の向きを180度回転しなければならなくなる場合がある。そうすると患者の苦痛が増す上、看護者の労働強度も増加する。甚だしきに至っては手術の効果に影響することも考えられる。
【０００３】
現在すでに用いられる運搬車は液圧で高さを調整する場合が多く、液圧が不安定で、油漏れなどの原因で昇降機能を失ってしまうことがある。
【０００４】
前記した理由から如何に性能の安定な、かつ両側横方向移送できる医療用運搬車を提供できるかが研究者の重要課題となる。
【考案の開示】
【課題を解決するための手段】
【０００５】
本考案の目的は現行技術の問題点の解決を中心にベッド板が両側横方向とも移送でき、昇降機構の安定性を高める医療用運搬車を与えることにある。
【０００６】
前記の目的を実現するため、本考案は車台、昇降支柱、支持フレーム、横移床板とコントローラを含む一種の医療用運搬車を与える。車台が昇降支柱の底部に固定され、支持フレームが昇降支柱の頂部に固定され、横移床板が支持フレーム上に設けられる。また、該運搬車は歯車モジュール、従動軸と輸送ベルトをも有しており、歯車モジュールと電動機の出力軸が接続されており、従動軸と歯車モジュールを噛み合わせ、従動軸を横移床板の周縁に設置し、従動軸と横移床板上に輸送ベルトを巻いている。
【０００７】
一つの特徴として、昇降支柱とコントローラが連接しており、コントローラは昇降支柱を制御してこれを上昇あるいは降下させることができる。
【０００８】
もう一つの特徴として、ガードレールを設けた。ガードレールが支持フレームと連接しており、横移床板の側面に位置する。ガードレールを下げたとき横移床板より低いかほぼ同じ高さとなり、上げたときは横移床板より高くなる。
【０００９】
さらに別の特徴として、本考案の運搬車は踏み板と複数個の車輪を有する。車台の底部に設けられた車輪と踏み板が連結されており、踏み板で車輪の固定と方向転換を制御することができる。
【００１０】
本考案の顕著な効果として、一台の電動機により歯車モジュールの回転を制御し、歯車モジュールが従動軸と噛み合うことによって従動軸を回転することができ、従動軸に巻かれているベルトも必要に応じて時計回りかその反対方向に回転することができる。横移床板の底部に歯が設けられており、それと噛み合う歯車をもう一台の電動機で駆動すると、横移床板が横方向の両側に移動することができる。
【００１１】
調整軸を使用すると歯車を回転させることができ、歯車と噛み合っているウォームモジュールも回転し、ウォームモジュールに連接する支持フレームが横移床板に近づいたり離れたりすることができる。支持フレームと横移床板の間隔変化は輸送ベルトを緩めたり緊締したりすることによってスムーズに輸送ベルトを回転させ、ベルトの滑りを防ぐことができる。本考案は横移床板の横方向の両側への移動と輸送ベルトの両方向回転を実現し、患者が運搬車から病床への移動がスムーズに進められる。昇降機構が安定に機能する。ガードレールを固定する位置が上と下二箇所あり、上の位置に固定するとき、患者の転落を防ぎ、横移床板の横方向への移動を制限することができる。ガードレールが下の位置にある場合、横移床板が横方向の両側へ移動できる。踏み板で車輪を固定したり車輪の進行方向を転換したりすることができる。本考案は構造が簡単、操作が便利であるので患者の苦痛を軽減し、看護者の労働強度を軽減することができる。
【００１２】
本考案の特徴とその利点を実施例と図面に従って詳しく説明する。
【具体的な実施方式】
【００１３】
図−1は本考案の医療用運搬車の構造を示す。該運搬車は車台1、昇降支柱2、支持フレーム３、横移床板4とコントローラ６を有する。車台1は昇降支柱2の底部に固定され、支持フレーム3は昇降支柱2の頂部に固定され、横移床板4は支持フレーム3に設置される。その特徴は歯車モジュール、従動軸19とベルト16があり、歯車モジュールと電動機の出力軸と接続され、従動軸19と歯車モジュールを噛み合わせ、従動軸19が横移床板4の周縁に設置し、従動軸19と横移床板４の上に輸送ベルト16を巻いている点にある。
【００１４】
昇降支柱2はコントローラ6に連接し、コントローラ6は昇降支柱の上昇と下降を制御することができる。
【００１５】
本考案の医療用運搬車はガードレール5をも有する。ガードレール5は支持フレーム3に偏位可能に取り付けられており、横移床板の側面に位置する。ガードレールは下方に偏位したとき、横移床板4より若干低いが、上げたときは横移床板より高く位置する。
【００１６】
本考案の医療用運搬車は踏み板7と複数個の車輪8をも有する。車輪8は車台1の底部に設けられ、制御機構を介して踏み板7と連結されており、踏み板7で車輪8の固定と方向転換を制御することができ、踏み板の位置を変動させることによって車輪8が直線方向へも曲線方向へも方向を変えることができる。
【００１７】
コントローラ6で運搬車につけているすべての電気装置を制御できるように設けられる。コントローラ6を支持フレーム3上に設けてもよく、また伸縮可能の弾性桿により支持フレームの外方に位置させてもよく、簡便に操作することができる。
【００１８】
システムの中に2台の電動機が設けられる。その中の1台は従動軸19を回転させるために設けられ、輸送ベルトの両方向回転を実現する。もう一台の電動機は横移床板4の底部に設けられる歯車を駆動する。横移床板4の下面と歯車は噛み合って連接するので、歯車が回転すると横移床板4も両方向に移動することができる。横移床板4を動かす歯車が四つあり、それぞれ横移床板4の両端に各二個対称に配置されている。また、横移床板の両端に位置決めの溝があり、それに対応して支持フレーム3に同じ位置に位置決めの突起があり、突起を溝に嵌め込むと横移床板４の転動を防ぐことができる。
【００１９】
図−2は本考案の医療用運搬車におけるチェーン伝動機構の説明図である。図−2の伝動機構を左から見ると図―3になる。横移床板4に取り付けられた輸送ベルト16が両方向へ回転できるようにチェーン伝動機構を用いる。駆動軸上に設けられた駆動輪9で動力をスプロケット10に伝える。スプロケット10は第一回転軸11か第二回転軸12に固定され、第一回転軸11か第二回転軸12にある歯車で動力がそれぞれ第一軸13と第二軸14へ伝達され、第二軸14にある従動軸19と輸送ベルト16の表面にある歯と噛み合い、従動軸19と輸送ベルト16が同期して回転できるため、時計回りとその逆方向の回転ができるから患者の移動がスムーズに実現できるようになる。
【００２０】
前記したチェーン伝動機構の中にあるスプロケット10が横移床板4と一緒に左右方向へ移動しても輸送ベルトの動力伝動に影響しない。動力が伝達されるときチェーンがその運動方向への力しか受けないので軸方向への応力が発生せずに雑音と摩損を下げることができる。その駆動プロセスはつぎのようである。即ち、駆動電動機15が反時計回りの方向へ回転すると駆動輪9も反時計回り方向へ駆動され、駆動力がチェーンを通してスプロケットへ伝達され、スプロケットが時計回り方向へ回転する。スプロケット10→第二回転軸12にある第二歯車→第四回転軸14にある第四歯車18→第四回転軸14にある従動軸19→輸送ベルト16の順序で動力が伝達され、輸送ベルト16が時計回り方向への回転を実現する。同じく、もし駆動電動機15が時計回り方向へ回転する場合、輸送ベルト16の反時計回り方向への回転を可能にする。
【００２１】
図−4は本考案の医療用運搬車の中に輸送ベルトの緩み具合を調整できる構造を示す。第三軸20を調整することにより第五歯車21→第六歯車22→ウォームモジュール23の順序で動力が支持フレーム23へ伝達され、支持フレーム23及び第四軸25がベッド板との距離を調整する。そのため輸送ベルトの緩みを調整でき、輸送ベルトがスムーズに回転できるようになると同時にベルトのすべりを防ぐこともできる。
【００２２】
患者を病床から運搬車へ移送するプロセスは以下のとおりである。即ち、運搬車を病床の隣に送り、踏み板7で車輪を固定し、コントローラ6で横移床板が病床とほぼ同じ高さになるように運搬車の高さを調整し、ガードレール5を下げ、コントローラ6で横移床板を横になっている患者の方向へ送り、患者に近づいたら横移床板に設けられた輸送ベルトを運搬車方向へ回転させ、患者の体を少し傾け、患者の体の一部が横移床板の上を乗るように横移床板を患者の体の下に入れ、患者の体が横移床板の中央部にくるまで輸送ベルトを回転させ、コントローラで横移床板の移動方向を変え、横移床板を運搬車の中間位置まで戻し、ガードレール5を上げ、患者を指定されたところまで運搬する。
【００２３】
患者を運搬先へ送るとき、まず患者の頭の向きを確認し、運搬車を病床の横に移動し、踏み板7で車輪を固定し、コントローラ6で横移床板が病床とほぼ同じ高さになるように運搬車の高さを調整し、ガードレール５を下げ、コントローラ6で横移床板を病床の中央部まで送り、輸送ベルト16を病床方向へ回転させると同時に横移床板を運搬車方向へ戻し、患者が自動的に病床へ移送される。横移床板4が運搬車の中央部に戻ったら輸送ベルト16を止める。
【００２４】
前記の実施例は本考案を説明するためのものであり、本考案を限定するものではない。本考案を簡単に変更した構造はすべて本考案の保護の範囲に属する。
【図面の簡単な説明】
【００２５】
【図１】本考案の医療用運搬車の構造図、
【図２】本考案の医療用運搬車におけるチェーン伝動機構の説明図、
【図３】図２の構造を図面の左から見た図、
【図４】本考案の医療用運搬車における輸送ベルトの緩度調整装置の構造図。
【図１】
0003129434.tif 000003
【図２】
0003129434.tif 000004
【図３】
0003129434.tif 000005
【図４】
0003129434.tif 000006